(57)【特許請求の範囲】
【請求項１】
圧縮機と圧縮された冷媒の熱を放熱する放熱器と高圧の冷媒の圧力を減圧する絞り手段と減圧されて低圧となった冷媒で周囲から熱を奪う吸熱器とを冷媒が循環するように管路で連結して構成したヒートポンプ装置と、衣類を収容する乾燥庫と、前記圧縮機の回転数を検知する圧縮機回転数検知手段と、乾燥用空気を送風する送風手段と、前記乾燥用空気を前記放熱器と前記乾燥庫を経て前記吸熱器へと導き再び放熱器に戻す循環風路と、前記放熱器で加熱された乾燥用空気の温度を直接検知する第１の温度検知手段と、前記管路の温度を検知する第２の温度検知手段と前記圧縮機を制御する制御手段とを備え、前記制御手段は、前記圧縮機の回転数と前記第１の温度検知手段で検知された温度と前記第２の温度検知手段で検知された温度との関係を複数記憶し、前記圧縮機が所定の回転数以上の時に、前記第１の温度検知手段で検知された温度が第１の所定の温度以下になり、前記第２の温度検知手段で検知された温度が第２の所定の温度以上になると、前記圧縮機を停止する衣類乾燥装置。
【請求項２】
時間を計測する計時手段を具備し、制御手段は、衣類乾燥装置が動作を開始してから所定の時間以上経過し、圧縮機が所定の回転数以上の時に、第１の温度検知手段で検知された温度が第１の所定の温度以下になり、第２の温度検知手段で検知された温度が第２の所定の温度以上になると、前記圧縮機を停止する請求項１記載の衣類乾燥装置。
【請求項３】
制御手段は、圧縮機が所定の回転数以上で、かつ第１の温度検知手段で検知された温度が第１の所定の温度以下であり、第２の温度検知手段で検知された温度が第２の所定の温度以上である状態が所定の時間以上継続すると、前記圧縮機を停止する請求項２記載の衣類乾燥装置。
【請求項４】
送風手段の回転数を検知する回転数検知手段を具備し、制御手段は、圧縮機が所定の回転数以上の時に、前記送風手段が所定の回転数以上で、かつ第１の温度検知手段で検知された温度が第１の所定の温度以下になり、第２の温度検知手段で検知された温度が第２の所定の温度以上になると、前記圧縮機を停止する請求項１記載の衣類乾燥装置。
【請求項５】
時間を計測する計時手段を具備し、制御手段は、衣類乾燥装置が動作を開始してから所定
の時間以上経過し、前記圧縮機が所定の回転数以上の時に、送風手段が所定の回転数以上で、かつ第１の温度検知手段で検知された温度が第１の所定の温度以下になり、第２の温度検知手段で検知された温度が第２の所定の温度以上になると、前記圧縮機を停止する請求項４記載の衣類乾燥装置。
【請求項６】
制御手段は、圧縮機が所定の回転数以上で、送風手段が所定の回転数以上で、かつ第１の温度検知手段で検知された温度が第１の所定の温度以下であり、第２の温度検知手段で検知された温度が第２の所定の温度以上である状態が所定の時間以上継続すると、前記圧縮機を停止する請求項５記載の衣類乾燥装置。
【請求項７】
第１の温度検知手段で、循環風路内の放熱器を通過した後の乾燥用空気の温度を検知するようにした請求項１〜６のいずれか１項に記載の衣類乾燥装置。
【請求項８】
第２の温度検知手段は、圧縮機から放熱器の入口までの間の管路上に設けた請求項１〜７のいずれか１項に記載の衣類乾燥装置。
【発明の詳細な説明】
【技術分野】
【０００１】
本発明は、一般家庭で使用される洗濯と乾燥を同一槽で行う洗濯乾燥機や、乾燥のみを行う衣類乾燥機に搭載される衣類乾燥装置に関するものである。
【背景技術】
【０００２】
従来、この種の衣類乾燥装置として、ヒータを熱源にするものや、ヒートポンプ装置を熱源に用いたものがある（例えば、特許文献１参照）。
【０００３】
以下、上記特許文献１に開示された従来の衣類乾燥装置を搭載した洗濯乾燥機について図４を用いて説明する。図４は、前記特許文献１に記載された従来の洗濯乾燥機の側断面図である。
【０００４】
図４において、洗濯乾燥機１は、ケーシング２をもち、同ケーシング２の中央に衣類６を出し入れするためのドア１２が取り付けられており、内部には回転ドラム３が収納されている。同回転ドラム３の所定の部位には衣類６を回転ドラム３の回転とともに持ち上げ落下させるためのビータ５と、洗濯水７及び乾燥のための循環エア９が出入りするパンチング孔４が多数開口させてある。回転ドラム３のシャフト１１は、図示されない駆動用モータから回転のための動力を受けるようになっている。
【０００５】
また、ケーシング２内の回転ドラム３の背面は、空気入口２４及び空気出口２３を除き隔壁２２によって仕切られ、循環エア９が通るダクト１０、及び１３が形成されている。前記隔壁２２の前面下部は洗濯槽１４を構成し、同洗濯槽１４の部分に回転ドラム３の下部が臨んでいる。前記各エアダクト１０、１３には、圧縮機１９、凝縮器（コンデンサ）１８、ファン１７、膨脹弁２０、蒸発器（エバポレータ）１５等が内蔵されており、いわゆるヒートポンプサイクルが形成されている。また、凝縮器１８の一部はケーシング２の外背面に延長され、放熱器１６を形成している。２１は、蒸発器１５で発生した結露水を排水するためのドレン排水用配管、８は、洗濯水を排水するための洗濯排水用配管である
。
【０００６】
次に、上記従来の洗濯乾燥機の各工程と作用について説明する。洗濯、すすぎ工程では、ドア１２をあけて衣類６及び適量の洗剤を投入し、ドア１２を閉め、以下の工程を実行する。水供給バルブ（図示せず）により洗濯槽１４に水位Ａの位置まで規定量の水７が供給される。回転ドラム３がプログラムされた回転数で連続または間欠的に回転し、洗浄が行なわれる。この間、衣類６は、ビータ５によって持ち上げられ落下する。洗濯終了後、汚れた洗濯水は、洗濯槽１４の洗濯排水用配管８から機外に排水される。続いて、すすぎ工程が同様の工程で実行される。すすぎ水も洗濯排水として洗濯排水用配管８から機外に排水される。
【０００７】
脱水工程では、回転ドラム３がプログラムされた回転数で回転し、衣類６中の水分を脱水する。脱水された水は、同じく洗濯排水として洗濯排水用配管８から機外に排水される。乾燥工程では、圧縮機１９、ファン１７及び回転ドラム３が運転されて、循環エア９がダクト１０、１３及び回転ドラム３の内部を循環する。
【０００８】
衣類６から蒸発した水蒸気は、循環エア９と共に、空気出口２３、ダクト１０を通って蒸発器１５に接触し、冷却されて凝縮水（結露水）となって除湿される。除湿された循環エア９は、ファン１７によって凝縮器１８に送られ、ここで加熱されて熱風となってダクト１３、空気入口２４を経て回転ドラム３内に流入し、再び衣類６から水分を蒸発させる。蒸発器１５で除湿された結露水は、ドレン排水用配管２１から機外に排水される。この間、回転ドラム３は洗濯工程と同様にあらかじめ設定された回転数で連続又は間欠的に回転する。以上、洗濯から乾燥までを連続して行う工程について説明した。
【特許文献１】特公平６−７５６２８号公報
【発明の開示】
【発明が解決しようとする課題】
【０００９】
しかしながら、前記従来の衣類乾燥装置の構成では、ヒートポンプサイクル内に封入された冷媒が外部に漏れた場合の検知手段が特に設けられておらず、冷媒が漏れた場合には冷媒回路全体の圧力が低下したり、冷媒循環量が不足したりする結果、能力が低下し、圧縮機１９に過大な負荷がかかり機器としての寿命を縮めるという課題や、冷媒とともに圧縮機１９内のモータ用の潤滑油が漏れ出し、圧縮機１９を損傷するという課題を有していた。
【００１０】
本発明は、上記従来の課題を解決するもので、冷媒が漏れたことを確実に検知し、圧縮機を保護することができる衣類乾燥装置を提供することを目的とするものである。
【課題を解決するための手段】
【００１１】
上記従来の課題を解決するために、本発明の衣類乾燥装置は、圧縮機と圧縮された冷媒の熱を放熱する放熱器と高圧の冷媒の圧力を減圧する絞り手段と減圧されて低圧となった冷媒で周囲から熱を奪う吸熱器とを冷媒が循環するように管路で連結して構成したヒートポンプ装置と、衣類を収容する乾燥庫と、前記圧縮機の回転数を検知する圧縮機回転数検知手段と、乾燥用空気を送風する送風手段と、前記乾燥用空気を前記放熱器と前記乾燥庫を経て前記吸熱器へと導き再び放熱器に戻す循環風路と、前記放熱器で加熱された乾燥用空気の温度を直接検知する第１の温度検知手段と、前記管路の温度を検知する第２の温度検知手段と前記圧縮機を制御する制御手段とを備え、前記制御手段は、前記圧縮機の回転数と前記第１の温度検知手段で検知された温度と前記第２の温度検知手段で検知された温度との関係を複数記憶し、前記圧縮機が所定の回転数以上の時に、前記第１の温度検知手段で検知された温度が第１の所定の温度以下になり、前記第２の温度検知手段で検知された温度が第２の所定の温度以上になると、前記圧縮機を停止するもので、乾燥用空気の温
度又はそれと相関のある冷媒の温度と管路の温度と圧縮機へ流入する電流値から冷媒が漏れたことを検知すると、制御手段により圧縮機を停止させることにより、冷媒が漏れた場合でも圧縮機を保護することができる衣類乾燥装置を実現することができる。
【発明の効果】
【００１２】
本発明の衣類乾燥装置は、冷媒が漏れた場合でも圧縮機を確実に保護することができる。
【発明を実施するための最良の形態】
【００１３】
第１の発明の衣類乾燥装置は、圧縮機と圧縮された冷媒の熱を放熱する放熱器と高圧の冷媒の圧力を減圧する絞り手段と減圧されて低圧となった冷媒で周囲から熱を奪う吸熱器とを冷媒が循環するように管路で連結して構成したヒートポンプ装置と、衣類を収容する乾燥庫と、前記圧縮機の回転数を検知する圧縮機回転数検知手段と、乾燥用空気を送風する送風手段と、前記乾燥用空気を前記放熱器と前記乾燥庫を経て前記吸熱器へと導き再び放熱器に戻す循環風路と、前記放熱器で加熱された乾燥用空気の温度を直接検知する第１の温度検知手段と、前記管路の温度を検知する第２の温度検知手段と前記圧縮機を制御する制御手段とを備え、前記制御手段は、前記圧縮機の回転数と前記第１の温度検知手段で検知された温度と前記第２の温度検知手段で検知された温度との関係を複数記憶し、前記圧縮機が所定の回転数以上の時に、前記第１の温度検知手段で検知された温度が第１の所定の温度以下になり、前記第２の温度検知手段で検知された温度が第２の所定の温度以上になると、前記圧縮機を停止するものであり、乾燥用空気の温度又はそれと相関のある冷媒の温度と管路の温度と圧縮機へ流入する電流値から冷媒が漏れたことを検知すると、制御手段により圧縮機を停止させることにより、冷媒が漏れた場合でも圧縮機を保護することができる衣類乾燥装置を実現することができる。
【００１４】
第２の発明は、特に、第１の発明の衣類乾燥装置が時間を計測する計時手段を具備し、衣類乾燥装置が動作を開始してから所定の時間以上経過した時に、前記圧縮機へ流入する電流値が所定の値以下になり、かつ第１の温度検知手段で検知された温度が第１の所定の温度以下になり、第２の温度検知手段で検知された温度が第２の所定の温度以上になると、前記圧縮機を停止するもので、衣類乾燥装置が動作を開始してから所定の時間経過後に、乾燥用空気の温度又はそれと相関のある冷媒の温度と管路の温度と圧縮機へ流入する電流値から冷媒が漏れたことを検知すると、制御手段により圧縮機を停止させることにより、衣類や雰囲気の状態による影響が少なく精度のよい冷媒漏れ検知ができると共に、冷媒が漏れた場合でも圧縮機を保護することのできる衣類乾燥装置を実現することができる。
【００１５】
第３の発明は、特に、第２の発明の衣類乾燥装置の制御手段は、圧縮機が所定の回転数以上の時に、第１の温度検知手段で検知された温度が第１の所定の温度以下になり、第２の温度検知手段で検知された温度が第２の所定の温度以上になると、前記圧縮機を停止するもので、乾燥用空気の温度又はそれと相関のある冷媒の温度と管路の温度と圧縮機の回転数が所定の条件を満たした状態を所定の時間継続することから冷媒が漏れたことを検知すると、制御手段により圧縮機を停止させることにより、衣類や雰囲気の状態による影響が少なく精度のよい冷媒漏れ検知ができると共に、冷媒が漏れた場合でも圧縮機を保護することのできる衣類乾燥装置を実現することができる。
【００１６】
第４の発明は、特に、第１の発明の衣類乾燥装置は、送風手段の回転数を検知する回転数検知手段を具備し、制御手段は、前記送風手段が所定の回転数以上の時に、前記圧縮機へ流入する電流値が所定の値以下で、かつ第１の温度検知手段で検知された温度が第１の所定の温度以下になり、第２の温度検知手段で検知された温度が第２の所定の温度以上になると、前記圧縮機を停止するもので、送風手段の回転数と乾燥用空気の温度又はそれと相関のある冷媒の温度と管路の温度と圧縮機へ流入する電流値から冷媒が漏れたことを検
知すると、制御手段により圧縮機を停止させることにより、冷媒が漏れた場合でも圧縮機を保護することのできる衣類乾燥装置を実現することができる。
【００１７】
第５の発明は、特に、第４の発明の衣類乾燥装置は、時間を計測する計時手段を具備し、制御手段は、衣類乾燥装置が動作を開始してから所定の時間以上経過し、送風手段が所定の回転数以上で、かつ前記圧縮機へ流入する電流値が所定の値以下で、かつ第１の温度検知手段で検知された温度が第１の所定の温度以下になり、第２の温度検知手段で検知された温度が第２の所定の温度以上になると、前記圧縮機を停止するもので、衣類乾燥装置が動作を開始してから所定の時間経過後に送風手段の回転数と圧縮機へ流入する電流量と乾燥用空気の温度又はそれと相関のある冷媒の温度と管路の温度から冷媒が漏れたことを検知すると、制御手段により圧縮機を停止させることにより、衣類や雰囲気の状態による影響が少なく精度のよい冷媒漏れ検知ができると共に、冷媒が漏れた場合でも圧縮機を保護することのできる衣類乾燥装置を実現することができる。
【００１８】
第６の発明は、特に、第５の発明の衣類乾燥装置の制御手段は、送風手段が所定の回転数以上で、かつ前記圧縮機へ流入する電流値が所定の値以下で、かつ第１の温度検知手段で検知された温度が第１の所定の温度以下であり、第２の温度検知手段で検知された温度が第２の所定の温度以上である状態が所定の時間以上継続すると、前記圧縮機を停止するもので、送風手段の回転数と圧縮機へ流入する電流量と乾燥用空気の温度又はそれと相関のある冷媒の温度と管路の温度が所定の条件を満たした状態を所定の時間継続することから冷媒が漏れたことを検知すると、制御手段により圧縮機を停止させることにより、衣類や雰囲気の状態による影響が少なく精度のよい冷媒漏れ検知ができると共に、冷媒が漏れた場合でも圧縮機を保護することのできる衣類乾燥装置を実現することができる。
【００１９】
第７の発明は、特に、第１〜６のいずれか一つの発明の衣類乾燥装置の第１の温度検知手段で、循環風路内の放熱器を通過した後の乾燥用空気の温度を検知するようにしたもので、乾燥用空気の温度を直接検知することができるので、冷媒漏れ検知の精度が向上する。
【００２０】
第８の発明は、特に、第１〜７のいずれか一つの発明の衣類乾燥装置の第２の温度検知手段は、圧縮機から放熱器の入口までの間の管路上に設けたもので、冷媒の温度を検知することにより、冷媒漏れを正しく検知できる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における衣類乾燥装置を搭載した洗濯乾燥機を背面から見た斜視図、図２は、同洗濯乾燥機の側断面図である。
【００２３】
図１において、本実施の形態における洗濯乾燥機の洗濯乾燥機本体２５（以下「本体２５」という）内には、洗濯槽２６があり、モータ２７が取り付けられている。洗濯槽２６は両側面のサスペンション２９と上方部のサスペンション３０によって支えられて本体２５に取り付けられている。
【００２４】
本体２５は、気化した冷媒を圧縮する圧縮機３５と、圧縮後の高温高圧の冷媒の熱を放熱する放熱器３６と、高圧の冷媒の圧力を減圧するための膨張弁、もしくは、キャピラリーチューブからなる絞り手段３７と、減圧されて低圧となった冷媒が周囲から熱を奪う吸熱器３８を順に接続して再び圧縮機３５に冷媒が循環するように管路３９で連結して構成したヒートポンプ装置５１を具備している。
【００２５】
風路４０は、乾燥用空気を冷却する除湿手段としての前記吸熱器３８と乾燥用空気を加熱する加熱手段としての前記放熱器３６とを連通するように構成されている。洗濯槽２６と風路４０は、フレキシブルホース４１、４２によって接続されている。風路４０には送風手段４３が設けられている。洗濯槽２６内部とフレキシブルホース４１とを連通するダクト４４は、洗濯槽２６の外壁に設けられている。以上のように、フレキシブルホース４２と、後述の回転ドラム２８を収納する洗濯槽２６と、ダクト４４と、フレキシブルホース４１と、風路４０とで乾燥空気が循環する循環風路５３が形成されている。矢印Ｂはダクト４４と風路４０内の乾燥用空気の流れを示している。
【００２６】
図２において、衣類３１を収容する乾燥庫となる回転ドラム２８は、モータ２７の軸２７ａに直結して洗濯槽２６内に回転自在に取り付けられている。洗濯槽２６と回転ドラム２８の前面開口部に対応した位置には衣類３１を投入するためのドア３２が設けられている。本体２５と洗濯槽２６の間の隙間はベローズ３３とドアパッキング３４によって空気が本体２５内部や機外に漏れないように略密封されている。回転ドラム２８の側壁および底面部には洗濯水や乾燥用空気が出入りする複数の孔４５と開口部４６が設けられている。開口部５６は、洗濯槽２６内壁に設けられており、洗濯槽２６とダクト４４との風路を連通している。矢印Ｃは洗濯槽２６と回転ドラム２８内の乾燥用空気の流れを示している。
【００２７】
洗濯排水路４７は、洗濯時の排水を流すものである。乾燥時に吸熱器３８で発生した結露水は、水溜６７で受けられる。水溜６７の最底部６９には、途中にポンプ６８を有する結露排水路４８の一端が接続され、結露排水路４８の他端と洗濯排水路４７とが一つの排水管４９につながれている。
【００２８】
排水管４９の先端５０は、機外の大気中に開口している。洗濯排水路４７と結露排水路４８の合流部には１つの排水弁６０が設けられ、洗濯排水路４７と、結露排水路４８と、排水管４９と、排水弁６０によって排水処理手段が構成されている。
【００２９】
空気温度検知手段７１は、風路４０内に備えられ、乾燥用空気の温度を検知する。冷媒温度検知手段７２は、圧縮機３５から放熱器３６の入口までの間の管路３９上に近接して備えられ、冷媒の温度を検知する。圧縮機流入電流検知手段７３は、圧縮機３５へ流入する電流値を検知する。制御手段７４は、圧縮機３５の動作を制御する。計時手段７５は、時間を計測する。
【００３０】
以上のように構成された洗濯乾燥機について、以下、その動作、作用を説明する。洗濯、すすぎ、脱水までの洗濯工程で、水を溜める場合は、排水弁６０により、洗濯排水路４７側を閉じ、結露排水路４８側を開くと、水供給バルブ（図示せず）から洗濯槽２６に水が供給され、図２の水位Ｄの位置まで水が溜められる。
【００３１】
回転ドラム２８がプログラムされた回転数で連続または間欠的に回転し、洗浄やすすぎが行なわれる。この間、衣類３１は回転ドラム２８の回転によって持ち上げられ落下する。排水する場合は、排水弁６０により、洗濯排水路４７側が開かれ、結露排水路４８側が閉じられ、洗濯槽１４の水が、洗濯排水路４７と排水弁６０を通過して排水管４９から機外に排水される。
【００３２】
乾燥工程では、排水弁６０により洗濯排水路４７側が閉じられ、結露排水路４８側が開かれ、圧縮機３５、送風手段４３及び回転ドラム２８を駆動するモータ２７が運転される。送風手段４３の運転によって、乾燥用空気が、洗濯槽２６、ダクト４４、フレキシブルホース４１、風路４０、フレキシブルホース４２の内部を通って循環する。衣類３１は、
あらかじめ設定された回転数で連続又は間欠的に回転する回転ドラム２８によって撹拌される。
【００３３】
圧縮機３５の運転によって、管路３９内を冷媒が循環して、放熱器３６で高温高圧の冷媒の熱を放熱して循環する乾燥用空気を加熱する。加熱された乾燥用空気は、図２の矢印Ｃのように、洗濯槽２６内に送り込まれ、回転ドラム２８の底面部に設けた開口部４６を通過して衣類３１に当たり、衣類３１から水分を奪って、多湿の空気となって回転ドラム２８の側壁に設けた多数の孔４５を通過して、洗濯槽２６の開口部５６を経てダクト４４へと送られる。ダクト４４を通過した乾燥用空気は、矢印Ｂに示すように、フレキシブルホース４１を通過して風路４０に設けた除湿手段としての吸熱器３８で、冷却除湿される。除湿された乾燥用空気は再び送風手段４３によって放熱器３６に送られて加熱される。
【００３４】
ここで、ヒートポンプ装置５１から何らかの原因で冷媒が漏れ出た場合、冷媒量の減少により熱交換能力が減少する。このため、圧縮機流入電流検知手段７３により検知される圧縮機３５への流入電流が通常時と同程度であっても、空気温度検知手段７１により検知される乾燥用空気の温度は通常時より低いものとなる。このとき、冷媒温度検知手段７２により検知される冷媒の温度は、圧縮機３５の回転により発生する摩擦熱により、通常時と同程度まで加熱される。これにより、圧縮機３５への流入電流値と乾燥用空気の温度と冷媒の温度を検知することにより冷媒の漏れを検知することができる。
【００３５】
具体的には、標準的な冷媒量が封入されている場合の圧縮機３５を電流値Ｉｎで運転した場合の乾燥用空気の温度Ｔｄの値と冷媒の温度Ｔｒの値の関係を制御手段７４にて１つまたは複数記憶しておき、圧縮機３５の運転中に、電流値がＩｎ以上の時に、空気温度検知手段７１により検知された乾燥用空気の温度がＴｄよりも所定量ΔＴｄ低い温度に設定した第１の所定の温度Ｔｔｈ１以下になり、かつ冷媒温度検知手段７２により検知された冷媒の温度がＴｒよりも所定量ΔＴｒ低い温度に設定した第２の所定の温度Ｔｔｈ２よりも高い温度になれば冷媒漏れと判断し、制御手段７４により圧縮機３５を停止させるようにする。このように、冷媒が漏れたことを検知して圧縮機３５を停止させることより、冷媒が漏れた場合でも圧縮機３５を保護することができる。
【００３６】
以上のように、本実施の形態によれば、空気温度検知手段７１と冷媒温度検知手段７２と圧縮機流入電流検知手段７３により検知した値から冷媒の漏れを検知し、制御手段７４により圧縮機３５を停止させることにより、冷媒が漏れた場合でも圧縮機３５を確実に保護することのできる衣類乾燥装置を提供することができる。
【００３７】
なお、上記実施の形態では、空気温度検知手段７１を風路４０内に設置して、乾燥用空気の温度を直接検知するようにしたが、放熱器３６の入口から出口の間の管路３９内を通る冷媒の温度と乾燥用空気の温度には相関関係があるので、空気温度検知手段７１を放熱器３６の入口から出口の管路３９上に設置しても同様の効果がある。
【００３８】
また、上記実施の形態では、所定の条件を満たした場合に、直ちに冷媒漏れと判断することとしたが、計時手段７５により、衣類乾燥装置が動作を開始してから所定時間経過後に冷媒漏れを判断するようにすれば、衣類や雰囲気の状態による影響を少なくすることができ、より精度良く冷媒漏れを検知することができる。
【００３９】
また、計時手段７５により、衣類乾燥装置の特定の動作、例えば図示しない乾燥開始指示手段による乾燥開始指示や、圧縮機３５の起動等を起点とし、その動作開始から所定時間経過後に冷媒漏れを判断するようにしても、同様の効果を得ることができる。
【００４０】
また、計時手段７５により、冷媒漏れを判断するための所定の条件を満たした状態が、
所定の時間以上継続した時に冷媒漏れと判断するようにしても、衣類や雰囲気の状態による影響を少なくすることができ、より精度良く冷媒漏れを検知することができる。
【００４１】
また、上記実施の形態では、放熱器３６や吸熱器３８を形成する熱交換器として、プレートフィン付きチューブ型熱交換器を示しているが、特にその形態を限定するものではない。
【００４２】
また、本実施の形態では洗濯乾燥機を例に説明したが、衣類の乾燥のみを行う衣類乾燥機に於いても同様の効果が得られるのは、言うまでも無い。
【００４３】
（実施の形態２）
図３は、本発明の第２の実施の形態における衣類乾燥装置を搭載した洗濯乾燥機の側断面図である。なお、上記第１の実施の形態と同一部分については同一符号を付して詳細な説明は省略する。
【００４４】
本実施の形態は、図３に示すように、送風手段４３の回転数を検知する回転数検知手段７６を設け、送風手段４３の回転数が所定の回転数と同じかまたは大きいかで、冷媒漏れの判定を行うようにしたものである。本来、送風手段４３は、所定の回転数で運転するよう制御されており、標準的な冷媒量が封入された場合に圧縮機３５を電流値Ｉｎで運転した場合の乾燥用空気の温度Ｔｄの値と冷媒の温度Ｔｒの値との関係も送風手段４３が所定の回転数で運転されていることを前提として制御手段７４に記憶されている。
【００４５】
このため、回転数検知手段７６により送風手段４３の回転数が所定の回転数と同じかまたは大きい場合にのみ冷媒漏れの判定を行うことにより、判定の信頼性を高めることができる。
【００４６】
以上のように、本実施の形態によれば、回転数検知手段７６と空気温度検知手段７１と冷媒温度検知手段７２と圧縮機流入電流検知手段７３により検知した値から冷媒の漏れを検知し、制御手段７４により圧縮機３５を停止させることにより、冷媒が漏れた場合でも圧縮機３５を保護することができる衣類乾燥装置を実現することができる。
【００４７】
なお、本実施の形態では、所定の条件を満たした場合に直ちに冷媒漏れと判断することとしたが、上記第１、第２の実施の形態と同様に、計時手段７５を用いて、衣類乾燥装置が動作を開始してから所定時間経過後に冷媒漏れを判断するようにしたり、衣類乾燥装置の特定の動作、例えば図示しない乾燥開始指示手段による乾燥開始指示や、圧縮機３５の起動等を起点とし、その動作開始から所定時間経過後に冷媒漏れを判断するようにしたり、冷媒漏れを判定するための所定の条件を満たした状態が所定の時間以上継続した時に冷媒漏れと判断するようにすれば、衣類や雰囲気の状態による影響を少なくすることができ、より精度良く冷媒漏れを検知することができる。
【００４８】
また、本実施の形態では洗濯乾燥機を例に説明したが、乾燥のみを行う衣類乾燥機に於いても同様の効果が得られるものである。
【産業上の利用可能性】
【００４９】
以上のように、本発明にかかる衣類乾燥装置は、冷媒が漏れたことを確実に検知し、圧縮機を保護することができるもので、一般家庭で使用される洗濯と乾燥を同一槽で行う乾燥機能付き洗濯機や乾燥のみを行う衣類乾燥機に広く適用できる。
【図面の簡単な説明】
【００５０】
【図１】本発明の第１の実施の形態における衣類乾燥装置を搭載した洗濯乾燥機を背面から見た斜視図
【図２】同洗濯乾燥機の側断面図
【図３】本発明の第２の実施の形態における衣類乾燥装置を搭載した洗濯乾燥機の側断面図
【図４】本発明の第３の実施の形態における衣類乾燥装置を搭載した洗濯乾燥機の側断面図
【図５】従来の衣類乾燥装置を搭載した洗濯乾燥機の側断面図
【符号の説明】
【００５１】
２６  洗濯槽
２８  回転ドラム（乾燥庫）
３１  衣類
３５  圧縮機
３６  放熱器
３７  絞り手段
３８  吸熱器
３９  管路
４０  風路
４３  送風手段
５１  ヒートポンプ装置
５３  循環風路
７１  空気温度検知手段
７２  冷媒温度検知手段
７３  圧縮機流入電流検知手段
７４  制御手段
７５  計時手段
７６  回転数検知手段
【図１】
0004779723.tif 000002
【図２】
0004779723.tif 000003
【図３】
0004779723.tif 000004
【図４】
0004779723.tif 000005
【図５】
0004779723.tif 000006